(57)【要約】【課題】  荷物を収納して運搬するキャリーバッグや、種々の荷物を台座に載置して運搬するキャリーカーなどの運搬具を持ち運ぶときに、手や腕の筋力が弱い女性や高齢者がキャリーバッグなどを操作しやすい形状の握り部を備えた運搬具用把手を提供することを目的とする。【解決手段】  車輪が取り付けられ荷物を収納又は載置して運ぶ運搬具に設けられた運搬具用把手であって、使用者が把持する細長い形状の握り部であって、前記握り部の両端部側から中央部側に向かって上方に傾斜して延びる傾斜部と、前記傾斜部が交わる頂部と、を備える運搬具用把手により解決した。【選択図】図１
0003217641.tif 000002
【実用新案登録請求の範囲】
【請求項１】
車輪が取り付けられ荷物を収納又は載置して運ぶ運搬具に設けられた運搬具用把手であって、
使用者が把持する細長い形状の握り部を備え、
前記握り部が両端部側から中央部側に向かって上方に傾斜して延びる傾斜部と、
前記傾斜部が交わる頂部と、
を有することを特徴とする運搬具用把手。
【請求項２】
前記握り部と、前記握り部の一端側に接続する第一支持部材及び前記握り部の他端側に接続する第二支持部材とからなる支持部材と、前記支持部材の側方下部側に架設された下部部材を備えること特徴とする請求項１に記載の運搬具用把手。
【請求項３】
前記支持部材は、前記握り部の短手方向の一方に湾曲していることを特徴とする請求項２に記載の運搬具用把手。
【請求項４】
前記支持部材の両端下部側又は前記下部部材の中央下部側に接合され、伸縮可能なスライドフレームを備えることを特徴とする請求項２又は請求項３のいずれかに記載の運搬具用把手。
【請求項５】
前記支持部材、前記握り部及び前記下部部材により環状に形成されていることを特徴とする請求項２から請求項４のいずれかに記載の運搬具用把手。
【請求項６】
前記下部部材の長手方向における中央部に操作部を備えていること特徴とする請求項２から請求項５のいずれかに記載の運搬具用把手。
【請求項７】
前記握り部の長手方向における中央下部側に接合され、伸縮可能なスライドフレームを備えることを特徴とする請求項１に記載の運搬具用把手。
【請求項８】
前記握り部の上面の頂部に操作部を備えること特徴とする請求項１又は請求項７のいずれかに記載の運搬具用把手。
【考案の詳細な説明】
【技術分野】
【０００１】
本考案は、旅行や出張などで多くの荷物を収納して運搬する車輪付きのキャリーバッグや、種々の荷物を台座に載置して運搬するキャリーカーなどの運搬具に設けられる把手に関するものである。
【背景技術】
【０００２】
一般的に、旅行や出張などで多くの荷物を収納して運搬する車輪付きのキャリーバッグや、種々の荷物を台座に載置して運搬するキャリーカーなどの運搬具において、これらの運搬具は車輪が付いているため、荷物が重くても楽に運搬することができる。しかし最近は、女性同士で旅行を楽しんだり、女性の社会進出によって女性が出張する機会も増えている。また、高齢化社会を反映して高齢者が頻繁に旅行に行く機会や娯楽を楽しむ機会、さらに、定年後も仕事をする人が増え、高齢者が重い荷物を運んで仕事に行く機会も増えている。しかし、一般的に女性や高齢者は手や腕の筋力が弱いため、重い運搬具を操作することは容易ではなく、エレベーターがない場合など仕方なく運搬具を持ち上げることが困難な場合もあるという問題があった。
【０００３】
そこで、例えば、特許文献１では、持ち手５から所定の間隔をおいて補助握り部８が平行に設けられ、階段の昇り降りなどの際に持ち手５と補助握り部８を使い分けることができ、容易に操作できる運搬具が開示されている。なお、本段落の符号は特許文献１における符号である。
【先行技術文献】
【特許文献】
【０００４】
【特許文献１】特開２０１２−６５９７７号公報
【考案の概要】
【考案が解決しようとする課題】
【０００５】
しかしながら、先行特許文献１に記載のキャリーバッグにおける持ち手５と補助握り部８は、キャリーバッグを持ち上げた際の重心のバランスを取りやすくしているに過ぎず、手や腕の筋力が弱い女性や高齢者がキャリーバッグなどを操作するための持ち手の握りやすさや操作のしやすさという面で課題があった。なお、本段落の符号は特許文献１における符号である。
【０００６】
そのため、本考案において、荷物を収納して運搬する車輪付きのキャリーバッグや、種々の荷物を台座に載置して運搬するキャリーカーなどの運搬具を持ち運びするときに、手や腕の筋力が弱い女性や高齢者がキャリーバッグなどを操作しやすい形状の握り部を備えた運搬具用把手を提供することを目的とする。
【課題を解決するための手段】
【０００７】
〔１〕すなわち、本考案は、車輪が取り付けられ荷物を収納又は載置して運ぶ運搬具に設けられた運搬具用把手（１）であって、
使用者が把持する細長い形状の握り部（２）を備え、
前記握り部（２）が両端部側から中央部側に向かって上方に傾斜して延びる傾斜部（２１）と、
前記傾斜部が交わる頂部（２２）と、
を有することを特徴とする運搬具用把手である。
【０００８】
〔２〕そして、前記握り部（２）と、前記握り部（２）の一端側に接続する第一支持部材（３１）及び前記握り部（２）の他端側に接続する第二支持部材（３２）とからなる支持部材（３）と、前記支持部材（３）の側方下部側に架設された下部部材（４）を備えること特徴とする前記〔１〕に記載の運搬具用把手である。
【０００９】
〔３〕そして、前記支持部材（３）は、前記握り部（２）の短手方向の一方に湾曲していることを特徴とする前記〔２〕に記載の運搬具用把手である。
【００１０】
〔４〕そして、前記支持部材（３）の両端下部側又は前記下部部材（４）の中央下部側に接合され、伸縮可能なスライドフレーム（５）を備えることを特徴とする前記〔２〕又は前記〔３〕のいずれかに記載の運搬具用把手である。
【００１１】
〔５〕そして、前記支持部材（３）、前記握り部（２）及び前記下部部材（４）により環状に形成されていることを特徴とする前記〔２〕から前記〔４〕のいずれかに記載の運搬具用把手である。
【００１２】
〔６〕そして、前記下部部材（４）の長手方向における中央部に操作部（４１）を備えていること特徴とする前記〔２〕から前記〔５〕のいずれかに記載の運搬具用把手である。
【００１３】
〔７〕そして、前記握り部（２）の長手方向における中央下部側に接合され、伸縮可能なスライドフレーム（５）を備えることを特徴とする前記〔１〕に記載の運搬具用把手である。
【００１４】
〔８〕そして、前記握り部（２）の上面の頂部（２２）に操作部（４１）を備えること特徴とする前記〔１〕又は前記〔７〕のいずれかに記載の運搬具用把手である。
【考案の効果】
【００１５】
本考案の運搬具用把手によれば、握り部に設けられた傾斜部及び頂部が、使用者が物を握る時の手のひらの形状にすっぽりと納まり、握りやすい形状に形成されている。したがって、手や腕の筋力が弱い女性や高齢者であっても、操作しやすい。
【図面の簡単な説明】
【００１６】
【図１】本考案の第一実施例における運搬具用把手の斜視図である。
【図２】本考案の第一実施例における運搬具用把手の正面図である。
【図３】本考案の第一実施例における運搬具用把手の平面図である。
【図４】本考案の第一実施例における運搬具用把手をキャリーバッグに設けた使用状態の斜視図である。
【図５】本考案の第二実施例における運搬具用把手の斜視図である。
【図６】本考案の第三実施例における運搬具用把手の斜視図である。
【考案を実施するための形態】
【００１７】
以下、本考案に係る運搬具用把手に関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。本件出願において、上下方向は、図２における上下方向に対応するものである。なお、数値範囲を示す表現は上限と下限を含むものである。
【００１８】
（第一実施形態）
運搬具用把手１は、図１、図２などに示すように、握り部２、支持部材３、下部部材４などからなり、図４に示すように、旅行や出張などで多くの荷物を収納して運搬する車輪付きのキャリーバッグや、種々の荷物を台座に載置して運搬するキャリーカーなどの運搬具の上部に設けられる。運搬具用把手１を使用者が把持することにより、それら運搬具を持ち運ぶことができる。
【００１９】
握り部２は、使用者が把持する細長い形状であって、運搬具用把手１の上部側に位置する運搬具用把手１の主要な部材である。握り部２は、握り部２の長手方向に沿って両端部側から中央部側に向かって上方に傾斜して延びる傾斜部２１と、傾斜部２１が交わる頂部２２とからなる。また、図４に示すように、握り部２は、運搬具の一端側に横幅方向に沿って延びており、下部部材４よりも高い位置にある。さらに、握り部２と接続する支持部材３が握り部２の短手方向の一方に湾曲しているため、握り部２が下部部材４の真上の位置に形成されておらず、握り部２と下部部材４の間に握り部２の短手方向における間隙が広く設けられている。そのため、使用者が握り部２を把持する空間が広く、握りやすい。また、収納時には、手を通して持ち上げやすい。
【００２０】
傾斜部２１は、図１に示すように、傾斜部２１の一方端部側が支持部材３の一方端部側に接続し、屈曲して握り部２の中央部側に向かって上方に傾斜して延び、頂部２２と交わる。より具体的には、図１の斜視図に示すように、傾斜部２１から頂部２２に至る第一傾斜角αは、頂部２２における第一中心点２３を起点として握り部２の一方端部における第二中心点２４までを、２５°から３５°の範囲で上方に傾斜して形成されている。また、図３の平面図に示すように、頂部２２から傾斜部２１に至る第二傾斜角βは、頂部２２における第一中心点２３を起点として握り部２の一方端部における第二中心点２４までを、１０°から２０°の範囲で使用者の体側に湾曲して形成されている。人は物を握るとき手のひらを内側に曲げ、指で包み込む。その際、手のひらの中心付近は凹むため、使用者が握り部２を握る位置である、頂部２２を中心とした傾斜部２１を含む曲がり具合が、使用者の手のひらの形状にすっぽりと納まり、握りやすい形状に形成されている。したがって、手や腕の筋力が弱い女性や高齢者であっても、操作しやすい。また、収納時にも、手を通して持ち上げやすい。
【００２１】
支持部材３は、握り部２の長手方向における一端側に接続する第一支持部材３１及び握り部２の長手方向における他端側に接続する第二支持部材３２とから成る細長い形状の部材である。また、支持部材３は、握り部２の短手方向の一方に下方に向かって緩やかに湾曲している。支持部材３の一方端部側が握り部２の端部側に接続し、他端部側がスライドフレーム５に接続している。握り部２と接続する支持部材３が握り部２の短手方向の一方に湾曲しているため、握り部２が下部部材４の真上の位置に形成されておらず、握り部２と下部部材４の間に握り部２の短手方向における間隙が広く設けられている。そのため、使用者が握り部２を把持する空間が広く、握りやすい。また、収納時には、手を通して持ち上げやすい。本実施形態において、下部部材４が支持部材３の側方下部側にそれぞれに架設されているため、握り部２、支持部材３及び下部部材４によって、運搬具用把手１が環状に形成されている。
【００２２】
下部部材４は、第一支持部材３１と第二支持部材３２の側方下部側に架設された部材であって、運搬具の一端側に横幅方向に沿って延びている細長い形状の部材である。下部部材４は、支持部材３の側方下部側に架設されており、運搬具用把手１を補強することができる。また、操作部４１が下部部材４の上面の中央部におおよそ同一平面となるように設けられているため、使用者は握り部２を把持して運搬具を操作する際に、謝って操作部４１を操作することによってスライドフレーム５が上下するなどの誤作動を起こしにくい。
【００２３】
操作部４１は、上部を下方に押し込めるように内部に弾性部材が埋設されている。使用者が操作部４１を操作することにより、第一支持部材３１の下端及び第二支持部材３２の下端に接続されているスライドフレーム５を多段階に伸縮することができる。このため、持ち運ぶときには、操作部４１を押し込んで連動する内部機構によりスライドフレーム５が伸び、運搬具用把手１を最大限に伸ばすと使用者の腰上や胸元まで達するために使用者はスムーズに運搬具用把手１を把持して持ち運ぶことができる。一方、車両、飛行機などの収納スペースに収納するときのように使用者が自ら持ち運ばないときには、操作部４１を押し込んで連動する内部機構によりスライドフレーム５が縮み、運搬具用把手１を最小限に縮ませるとキャリーバッグの上面の高さとおおよそ同じ高さまでになり、狭い収納スペースにおいても運搬具用把手１が邪魔にならない。
【００２４】
運搬具用把手１を構成する握り部２、支持部材３及び下部部材４の各部材は、ステンレス、アルミ合金などの金属やポリプロピレン、ＡＢＳ、ポリアセタール、ポリブチレンテレフタレートなどの合成樹脂などから作製されていることが好ましい。
【００２５】
スライドフレーム５は、運搬具用把手１の下端に設けられ、複数の筒状の部材を組み合わせて伸縮自在に設けられている。本実施形態において、スライドフレーム５は、より具体的には、支持部材３の下面の両端側に二本設けられ、それぞれ複数の部材を組み合わせて多段階的に伸縮可能に設けられている。そして、運搬具用把手１の下部部材４に設けられた操作部４１により、それぞれのスライドフレーム５の伸縮を操作することができる。また、図４では運搬具用把手１がキャリーバッグ６の天面から飛び出した状態であるが、これはスライドフレーム５を引き伸ばしている状態であり、運搬具用把手１の操作部４１で操作することにより、キャリーバッグ６の天面程度まで運搬具用把手１を押し下げることができる。
【００２６】
（第二実施形態）
本実施形態の運搬具用把手１は、第一実施形態と同様に、使用者が把持する細長い形状であって、傾斜部２１及び頂部２２を備える握り部２と、第一支持部材３１及び第二支持部材３２から成る支持部材３と、支持部材３の側方下部側に架設された下部部材４と、伸縮可能なスライドフレーム５などを備えている。
【００２７】
しかしながら、一本のスライドフレーム５が下部部材４の中央下部側に接続されている構造において相違する。スライドフレーム５が１本であっても安定して伸縮することでき、手や腕の筋力が弱い女性や高齢者であっても容易に操作しやすい。
【００２８】
（第三実施形態）
本実施形態の運搬具用把手１は、第一実施形態と同様に、使用者が把持する細長い形状であって、傾斜部２１及び頂部２２を備える握り部２と、伸縮可能なスライドフレーム５などを備えている。
【００２９】
しかしながら、握り部２の中央下部側に一本のスライドフレーム５が接続されている構造において相違し、また、握り部２の上面中央部に操作部４１が設けられている構造において相違する。握り部２が単体で構成されているため杖のように握りやすく、また、握り部２の上面中央部に操作部４１が設けられているため片手で操作部４１を操作してスライドフレーム５を容易に伸縮することができる。スライドフレーム５が一本であっても安定して伸縮することでき、手や腕の筋力が弱い女性や高齢者であっても容易に操作しやすい。
【００３０】
図４は、第一実施形態の運搬具用把手１を、スライドフレーム５を介してキャリーバッグ６に実際に取り付けている一の使用状態を示している。運搬具用把手１は、それぞれ伸ばされたスライドフレーム５の上部に接続されている。そして、キャリーバッグ６の下面の四隅には車輪Ｗが設けられている。また、第二実施形態及び第三実施形態の運搬具用把手１もスライドフレーム５を介してキャリーバッグ６に取り付けることができ、キャリーバッグ６を持ち運ぶことができる。
【符号の説明】
【００３１】
１・・・運搬具用把手
２・・・握り部
２１・・傾斜部
２２・・頂部
２３・・第一中心点
２４・・第二中心点
α・・・第一傾斜角
β・・・第二傾斜角
３・・・支持部材
３１・・第一支持部
３２・・第二支持部
４・・・下部部材
４１・・操作部
５・・・スライドフレーム
６・・・キャリーバッグ
Ｈ・・・手
Ｗ・・・車輪
【図１】
0003217641.tif 000003
【図２】
0003217641.tif 000004
【図３】
0003217641.tif 000005
【図４】
0003217641.tif 000006
【図５】
0003217641.tif 000007
【図６】
0003217641.tif 000008